(57)【要約】【課題】  コストの上昇を抑えた浴室異常検知通報装置の提供。【解決手段】  浴槽２の水位変動を検知する水位センサ４と、水位センサ４からの信号を処理する制御回路５と、警報を報知する報知装置６と、を備え、制御回路５は、所定の時間内において浴槽の水位変動が予め設定された水位変動より大きくなると報知装置６が警報を報知させるものである。すなわち、水位の急激な上昇を入浴開始と判断し、逆に水位の急激な減少を出浴と判断する。この区間の時間が、予め設定した時間より長くなると、入浴者および家族に異常を知らせるものである。【選択図】図１
2006064186.tif 000002
【特許請求の範囲】
【請求項１】
浴槽の水位変動を検知する水位センサと、該水位センサからの信号を処理する制御回路と、警報を報知する報知装置と、を備え、該制御回路は、所定の時間内において浴槽の水位変動が予め設定された水位変動より大きくなると前記報知装置が警報を報知させるものである浴室異常検知通報装置。
【請求項２】
前記水位センサは、前記浴槽の水量の変化に応じ上下に移動する磁石付フローと、該磁石付フローの移動に応じた電気信号を発生すると共に前記制御回路に該電気信号を入力するコイルと、を有し、該制御回路は、該コイルからの該電気信号が予め設定された範囲を超えると前記報知装置が警報を報知させるものである請求項１記載の浴室異常検知通報装置。
【発明の詳細な説明】
【技術分野】
【０００１】
本発明は、浴室異常検知通報装置に関するものである。
【背景技術】
【０００２】
従来から、浴室に入室した入浴者の異常を、家族などに知らせる報知システムには、センサが入浴者の赤外線及び色相などの情報で入浴者の動きを検知して、報知装置で知らせる方法がある。
【０００３】
具体的には、特開平１１−１０１５０２号公報に記載された入浴監視装置１０１がある。このものは、浴室１０２に設置された、給湯装置用の浴室リモコン１０５に、入浴監視装置の監視センサ１０８を内蔵し、外観から分かりにくくした。入浴監視装置１０１は、監視センサ１０８の画像から入浴者が動いているか否か監視し、一定時間以上動きがないと異常が発生している恐れがあると判断し、台所１０３のリモートコントローラ１０６から報知するものである。
【０００４】
すなわち、この装置は、入浴者に心理的な圧迫感や羞恥心を感じさせることなく画像による入浴者の監視を行うことができる入浴監視装置を提供するものである。
【０００５】
しかしながら、上述した浴室異常検知通報装置では、画像による入浴者の監視を行うためシステムが複雑になり、コストが高くなることが想定された。
【特許文献１】特開平１１−１０１５０２号公報
【発明の開示】
【発明が解決しようとする課題】
【０００６】
本願発明は、上記背景技術に鑑みて発明されたものであり、その課題は、コストの上昇を抑えた浴室異常検知通報装置を提供することである。
【課題を解決するための手段】
【０００７】
上記課題を解決するために、本願発明は、浴槽の水位変動を検知する水位センサと、該水位センサからの信号を処理する制御回路と、警報を報知する報知装置と、を備え、該制御回路は、所定の時間内において浴槽の水位変動が予め設定された水位変動より大きくなると前記報知装置が警報を報知させるものである。
【０００８】
また、前記水位センサは、前記浴槽の水量の変化に応じ上下に移動する磁石付フローと、該磁石付フローの移動に応じた電気信号を発生すると共に前記制御回路に該電気信号を入力させるコイルと、を有し、該制御回路は、該コイルからの該電気信号が予め設定された範囲を超えると前記報知装置が警報を報知させるもが好ましい。
【発明の効果】
【０００９】
本願発明の浴室異常検知通報装置によれば、浴槽の水位変動を水位センサにより検知し、制御回路が水位センサからの信号を処理し、報知装置が入浴者の異常を報知するので、システムの構成が簡単になり、コストの上昇を抑えることができる。
【発明を実施するための最良の形態】
【００１０】
本願の請求項１及び請求項２に対応した一実施形態の浴室異常検知通報装置１を図１に基づいて説明する。図１は第１の実施形態に係る浴室異常検知通報装置１の構成図である。この浴室異常検知通報装置１は、浴槽２の水位変動を検知する水位センサ４と、水位センサ４からの信号を処理する制御回路５と、警報を報知する報知装置６と、を備え、制御回路５は、所定の時間内において浴槽の水位変動が予め設定された水位変動より大きくなると報知装置６が警報を報知させるものである。
【００１１】
また、水位センサ４は、浴槽２の水量の変化に応じ上下に移動する磁石付フロー４１と、磁石付フロー４１の移動に応じた電気信号を発生するコイル４２と、を有し、制御回路５は、所定の時間内において浴槽の水位変動が予め設定された水位変動より大きくなる報知装置６が警報を報知させるものである。
【００１２】
浴槽２は、側面に穴２２を有し、穴２２よりパイプ２３の一方が接続されており、パイプ２３の他方は管３に接続されている。
【００１３】
管３は、上端に穴が開いており、その内部に後述する磁石を内蔵した磁石付フロー４１を有し、また、その外周にはコイル４２が設けられている。すなわち、磁石付フロー４１及びとコイル４２で後術する水位センサ４が構成されている。
【００１４】
水位センサ４は、浴槽２内の水位に応じて、磁石付フロー４１が上下し、管３の外周に設けられたコイル４２により、浴槽２の水位変化を電気信号に変換して、電気信号を後述する制御回路５に出力するのである。
【００１５】
制御回路５は、水位センサ４からの電気信号を制御するものである。例えば、磁石付フロー４１からの電気信号により、浴槽２の水位変動が１０秒の間に約３ｃｍ以上の水位の上昇を検知した場合に入浴者が浴槽２に入ったと判断し、時間をカウントし始める。また、磁石付フロー４１からの電気信号により、浴槽２の水位変動が１０秒の間に約３ｃｍ以上の水位の下降を検知した場合に入浴者が浴槽２から出たと判断し時間のカウントをリセットする。この時間のカウントが、３０秒経過毎に、入浴者および、家族へ報知装置６により注意を喚起する。そして、２分経過後には、家族に、異常を知らせ、浴槽２のある浴室まで入浴者の様子を見に行くように報知装置６により警報を報知する。なお、制御回路５と報知装置６は、ケーブル７により接続されている。
【００１６】
このように構成された浴室異常検知通報装置１は、水位センサ４が検知した水位の変動により、異常を判断するものである。すなわち、入浴者が浴槽２に入ると、浴水２１の位置が急激に上昇し、この水位の急激な上昇を入浴開始と判断し、逆に、入浴者が浴槽２から出ると、浴水２１の位置が急激に下降し、この水位の急激な減少を出浴と判断する。この区間の時間が、予め設定した時間より長くなると、入浴者および家族に異常を知らせる機構となっている。
【００１７】
従って、簡単な構成で、入浴・出浴が検知できるので、コストの上昇を抑えた浴室異常検知通報装置を提供することができるようになる。
【図面の簡単な説明】
【００１８】
【図１】本発明の一実施形態に係る浴室異常検知通報装置の構成図である。
【図２】特開平１１−１０１５０２号公報に記載された浴室異常検知通報装置の構成図である。
【符号の説明】
【００１９】
１    浴室異常検知通報装置
２    浴槽
４    水位センサ
４１  磁石付フロー
４２  コイル
５    制御回路
６    報知装置
【図１】
2006064186.tif 000003
【図２】
2006064186.tif 000004